(57)【要約】【課題】アンテナ特性の測定時間を短縮化して測定効率を向上させる。【解決手段】測定ポイント走査部は、測定ポイントを走査する。アンテナゲイン測定部は、複数の測定ポイント毎のアンテナゲインを測定し、全測定ポイントの中から基準ポイントを設定して、基準ポイントにおけるアンテナゲインと、他測定ポイントにおけるアンテナゲインとの差分であるアンテナゲイン差分値を求める。アンテナ特性測定部は、基準ポイントにおけるアンテナ特性である基準アンテナ特性を測定する。そして、基準アンテナ特性をアンテナゲイン差分値で補正し、他測定ポイントにおけるアンテナ特性を求める。【選択図】図１
2012042242.tif 000002
【特許請求の範囲】
【請求項１】
測定ポイントを走査する測定ポイント走査部と、
被測定用アンテナのアンテナゲインを測定するアンテナゲイン測定部と、前記被測定用アンテナのアンテナ特性を測定するアンテナ特性測定部と、を含む測定制御部と、
を備え、
前記アンテナゲイン測定部は、複数の前記測定ポイント毎の前記アンテナゲインを測定し、全測定ポイントの中から基準ポイントを設定して、前記基準ポイントにおける前記アンテナゲインと、他測定ポイントにおける前記アンテナゲインとの差分であるアンテナゲイン差分値を求め、
前記アンテナ特性測定部は、前記基準ポイントにおける前記アンテナ特性である基準アンテナ特性を測定し、前記基準アンテナ特性を前記アンテナゲイン差分値で補正して、前記他測定ポイントにおける前記アンテナ特性を求める、
ことを特徴とするアンテナ特性測定システム。
【請求項２】
前記被測定用アンテナが通信機器に設置されている場合、
前記アンテナゲイン測定部は、前記通信機器内の通信回路部との接続を外した前記被測定用アンテナに対する前記アンテナゲインを測定し、
前記アンテナ特性測定部は、前記通信機器内の前記通信回路部との接続を元に戻した前記被測定用アンテナに対する前記アンテナ特性を測定する、
ことを特徴とする請求項１記載のアンテナ特性測定システム。
【請求項３】
アンテナ特性測定方法において、
測定ポイントを走査して、被測定用アンテナのアンテナ特性を測定する場合、
複数の前記測定ポイント毎の前記被測定用アンテナのアンテナゲインを測定し、
全測定ポイントの中から基準ポイントを設定して、前記基準ポイントにおける前記アンテナゲインと、他測定ポイントにおける前記アンテナゲインとの差分であるアンテナゲイン差分値を求め、
前記基準ポイントにおける前記被測定用アンテナの前記アンテナ特性である基準アンテナ特性を測定し、
前記基準アンテナ特性を前記アンテナゲイン差分値で補正して、前記他測定ポイントにおける前記被測定用アンテナの前記アンテナ特性を求める、
ことを特徴とするアンテナ特性測定方法。
【発明の詳細な説明】
【技術分野】
【０００１】
本発明は、アンテナ特性の測定を行うアンテナ特性測定システムおよびアンテナ特性測定方法に関する。
【背景技術】
【０００２】
携帯電話器や通信機器を内蔵したノートパソコンといった移動体通信機器のアンテナ特性を含めた、通信性能（受信感度・放射電力）を測定する場合には、電波暗室において、移動体通信機器の回路や構造自体がアンテナ特性に与える影響を明らかにすることが重要である。
【０００３】
このような移動体通信機器の通信性能の測定には、被測定機器に対して全立体角を走査可能な球面上で通信機器の電磁界を測定できる球面測定が用いられる。
従来技術として、反射板によって被測定アンテナからの放射電力を上半球面に集中させてアンテナ放射特性を測定する技術が提案されている（特許文献１）。また、シールド室内を反射体で球状に形成した電磁波測定箱が提案されている（特許文献２）。
【先行技術文献】
【特許文献】
【０００４】
【特許文献１】特開２００８−８９５６７号公報
【特許文献２】特開２００５−６１９４９号公報
【発明の概要】
【発明が解決しようとする課題】
【０００５】
上記のような球面測定では、アンテナが設置される被測定機器を囲む球面上の複数の測定ポイント（例えば、２６４箇所の測定ポイント）について、該被測定機器の受信感度および放射電力を測定して、球面上での通信性能を評価することが行われる。
【０００６】
特に受信感度の測定では、まず、測定用アンテナから被測定機器に設置される被測定用アンテナへ電波を放射して、通信性能を測定する擬似基地局と被測定機器との間で通信状態を確立させる。そして、通信確立後に、被測定機器が一定のエラーレートを表示するときの受信レベルを測定する。
【０００７】
例えば、被測定機器が規定のエラーレートになるまで、受信レベルを０．１ｄＢステップ（およそ２０ｄＢ間）低下させていって、規定エラーレートとなる受信レベルを求める。規定エラーレートを表示させる最小の受信レベルが、該測定ポイントにおける受信感度となる。このような測定を行うことで、受信レベルがどこまで低下すれば受信限界になるかといったことを評価することができる。
【０００８】
しかし、このような受信感度測定は、球面上のすべての測定ポイントにおいて、１つの測定ポイントにつき複数の周波数の電波を用いて測定を行うために、多大な測定時間（例えば、１周波数バンド当たり２６時間）を要するといった問題があった。
【０００９】
また、被測定機器の受信限界まで受信レベルを低下させるといったことを行うので、通信状態が途中で切断するケースも発生し、この場合には、通信確立の再設定と再測定とを行うことになる。このように、従来のアンテナ特性の測定では、膨大な測定時間を要しており、効率のよい測定が行われていなかった。
【００１０】
本発明はこのような点に鑑みてなされたものであり、球面の受信感度・放射電力の測定時間を短縮化して測定効率を向上させたアンテナ特性測定システムを提供することを目的とする。
【００１１】
また、本発明の他の目的は、球面の受信感度・放射電力の測定時間を短縮化して測定効率を向上させたアンテナ特性測定方法を提供することである。
【課題を解決するための手段】
【００１２】
上記課題を解決するために、アンテナ特性測定システムが提供される。アンテナ特性測定システムは、測定ポイントを走査する測定ポイント走査部と、被測定用アンテナのアンテナゲインを測定するアンテナゲイン測定部と、前記被測定用アンテナのアンテナ特性を測定するアンテナ特性測定部と、を含む測定制御部とを備え、前記アンテナゲイン測定部は、複数の前記測定ポイント毎の前記アンテナゲインを測定し、全測定ポイントの中から基準ポイントを設定して、前記基準ポイントにおける前記アンテナゲインと、他測定ポイントにおける前記アンテナゲインとの差分であるアンテナゲイン差分値を求め、前記アンテナ特性測定部は、前記基準ポイントにおける前記アンテナ特性である基準アンテナ特性を測定し、前記基準アンテナ特性を前記アンテナゲイン差分値で補正して、前記他測定ポイントにおける前記受信感度・放射電力を求める。
【発明の効果】
【００１３】
受信感度・放射電力の測定時間を短縮化して測定効率を向上させることが可能になる。
【図面の簡単な説明】
【００１４】
【図１】アンテナ特性測定システムの構成例を示す図である。
【図２】アンテナ特性測定システムの構成例を示す図である。
【図３】測定ポイントを示す図である。
【図４】アンテナ特性測定動作の全体フローチャートである。
【図５】減衰量測定を説明するための図である。
【図６】アンテナゲイン測定を説明するための図である。
【図７】受信感度測定を説明するための図である。
【図８】放射電力測定を説明するための図である。
【発明を実施するための形態】
【００１５】
以下、本発明の実施の形態を図面を参照して説明する。図１はアンテナ特性測定システムの構成例を示す図である。アンテナ特性測定システム１は、測定ポイント走査部２０と測定制御部１０とを備える。
【００１６】
測定ポイント走査部２０は、被測定用アンテナ３ａのアンテナ特性を測定する際の測定ポイントを走査する。測定制御部１０は、アンテナゲイン測定部１１、アンテナ特性測定部１２および制御部１３を含む。
【００１７】
アンテナゲイン測定部１１は、被測定用アンテナ３ａのアンテナゲインを測定する。アンテナ特性測定部１２は、被測定用アンテナ３ａのアンテナ特性を測定する。制御部１３は、アンテナゲイン測定部１１およびアンテナ特性測定部１２に対する設定制御等を行い、また測定ポイント走査部２０に対する測定ポイントの走査制御を行う。
【００１８】
ここで、アンテナゲイン測定部１１は、複数の測定ポイント毎のアンテナゲインを測定し、全測定ポイントの中から基準ポイントを設定する。そして、基準ポイントにおけるアンテナゲインと、他測定ポイントにおけるアンテナゲインとの差分であるアンテナゲイン差分値を求める。
【００１９】
また、アンテナ特性測定部１２は、基準ポイントにおけるアンテナ特性である基準アンテナ特性を測定する。そして、基準アンテナ特性をアンテナゲイン差分値で補正して、他測定ポイントにおけるアンテナ特性を求める（詳細は後述）。
【００２０】
次に具体的なシステム構成について説明する。図２はアンテナ特性測定システムの構成例を示す図である。アンテナ特性測定システム１−１は、電波暗室などに配置され、球面上を走査する測定ポイントにおいて、アンテナ特性を測定するシステムである。
【００２１】
アンテナ特性測定システム１−１は、回転台２０ａ、測定用アンテナ移動部２０ｂ、ネットワークアナライザ１１ａ、擬似基地局１２ａおよび端末装置１３ａを備える。なお、回転台２０ａと測定用アンテナ移動部２０ｂは、測定ポイント走査部２０の機能に含まれる。また、ネットワークアナライザ１１ａは、アンテナゲイン測定部１１に該当し、擬似基地局１２ａは、アンテナ特性測定部１２に該当し、端末装置１３ａは、制御部１３に該当する。
【００２２】
回転台２０ａは、被測定機器３を置く台であって、水平面方向に３６０度の回転が可能である。測定用アンテナ移動部２０ｂは、測定用アンテナ２１ｂ、アーム２２ｂおよびアーム駆動部２３ｂ、アーム支持部２４ｂを含む。
【００２３】
アーム２２ｂの一端には測定用アンテナ２１ｂが取り付けられ、アーム２２ｂの他端はアーム駆動部２３ｂに設置される。アーム２２ｂは、アーム駆動部２３ｂとの接続箇所を基準にして垂直面方向（上下方向）に移動可能である。
【００２４】
ネットワークアナライザ１１ａは、一方のケーブルを介して被測定機器３と接続し、他方のケーブルを介して測定用アンテナ２１ｂと接続する。また、ケーブルのつなぎかえを行うことで、擬似基地局１２ａは、一方のケーブルを介して被測定機器３と接続し、他方のケーブルを介して測定用アンテナ２１ｂと接続する。
【００２５】
端末装置１３ａは、ネットワークアナライザ１１ａと擬似基地局１２ａに接続し、ネットワークアナライザ１１ａと擬似基地局１２ａに対する設定制御や、アンテナ特性測定結果の表示制御などを行う。
【００２６】
また、端末装置１３ａは、回転台２０ａおよび測定用アンテナ移動部２０ｂと接続し、回転台２０ａの回転駆動制御およびアーム２２ｂの駆動制御を行って、球面上の測定ポイントの走査設定に関する制御を行う。
【００２７】
次に測定ポイントについて説明する。図３は測定ポイントを示す図である。アンテナ特性測定システム１−１では、回転台２０ａに置かれた被測定機器３を囲む球面上のすべての測定ポイントについてのアンテナ特性を評価する。
【００２８】
測定ポイントの走査としては、例えば、水平面の３６０°の範囲に対して１５°ステップ、垂直面の１５°〜１６５°の範囲に対して１５°ステップで測定ポイントを走査する。
【００２９】
なお、垂直面のアーム移動では、アーム２２ｂの移動範囲を０°〜１８０°とはせずに、アーム２２ｂの一端に取り付けた測定用アンテナ２１ｂが天井または床面に接しないように、１５°〜１６５°の範囲としている。
【００３０】
水平面の３６０°の範囲に対して１５°刻みなので水平面方向の測定ポイント数は２４箇所であり、垂直面の１５°〜１６５°の範囲に対して１５°刻みの測定ポイント数は１１箇所である。したがって、このときの球面上の測定ポイント数は、２６４（＝１１×２４）ポイントとなる。
【００３１】
走査の仕方としては、例えば、アーム２２ｂを１５°に設定し、回転台２０ａを１５°ステップで回転させて、１５°の位置にある測定用アンテナ２１ｂに対する、２４箇所を走査する。
【００３２】
同様にして、アーム２２ｂを３０°に設定し、回転台２０ａを１５°ステップで回転させて、３０°の位置にある測定用アンテナ２１ｂに対する、２４箇所を走査する。このような走査をアーム２２ｂが１６５°になるまで行うので、球面１回分の測定ポイント走査では、２６４箇所の走査を行うことになる。
【００３３】
次にアンテナ特性の測定動作について説明する。アンテナ特性の測定として、被測定機器３に設置されている被測定用アンテナ３ａ（以下、設置アンテナ３ａ）の受信感度および放射電力を測定する。
【００３４】
図４はアンテナ特性測定動作の全体フローチャートである。
〔Ｓ１〕空間減衰量を含めたシステムの減衰量を測定する。
〔Ｓ２〕ステップＳ１で測定した減衰量の較正（calibration）を行い、球面上の全測定ポイントに対する、設置アンテナ３ａ単体のアンテナゲインを測定する。
【００３５】
〔Ｓ３〕全測定ポイントの中から基準ポイントＰｒを設定する。
〔Ｓ４〕基準ポイントＰｒのアンテナゲインと、他測定ポイントＰｎのアンテナゲインとの差分値ΔＧPr-Pnを求める。なお、基準ポイントＰｒを除く他測定ポイントは２６３個あるので、アンテナゲインの差分値ΔＧPr-Pnも２６３個求まる。
【００３６】
〔Ｓ５〕基準ポイントＰｒにおける受信感度（基準受信感度Ａｒ）を測定する。
〔Ｓ６〕他測定ポイントＰｎの受信感度Ａｎを、基準ポイントＰｒの基準受信感度Ａｒから推定算出する。具体的な算出式は、以下の式（１）とする。
【００３７】
Ａｎ＝ΔＧPr-Pn＋Ａｒ・・・（１）
受信感度計算式（１）から、基準ポイントＰｒを除いた２６３個の測定ポイントＰｎの受信感度Ａｎを推定算出することができる。
【００３８】
〔Ｓ７〕基準ポイントＰｒにおける放射電力（基準放射電力Ｂｒ）を測定する。
〔Ｓ８〕他測定ポイントＰｎの放射電力Ｂｎを、基準ポイントＰｒの基準放射電力Ｂｒから推定算出する。具体的な算出式は以下の式（２）とする。
【００３９】
Ｂｎ＝ΔＧPr-Pn＋Ｂｒ・・・（２）
放射電力計算式（２）から、基準ポイントＰｒを除いた２６３個の測定ポイントＰｎの放射電力Ｂｎを推定算出することができる。
【００４０】
次に減衰量測定について説明する。図５は減衰量測定を説明するための図である。アンテナと測定機器間の接続構成としては、システムの減衰量を測定するためのアンテナ（基準アンテナＲ）と、ネットワークアナライザ１１ａの信号送信端とをケーブルＣ１で接続する。また、測定用アンテナ２１ｂと、ネットワークアナライザ１１ａの信号受信端とをケーブルＣ２で接続する。
【００４１】
〔Ｓ１１〕基準アンテナＲと、測定用アンテナ２１ｂとの距離を規定のアンテナ間距離に設定する。
〔Ｓ１２〕ネットワークアナライザ１１ａは、信号送信端からケーブルＣ１を通じて、送信電力がＰａ（dBm）の所定周波数の試験信号を出力する。
【００４２】
〔Ｓ１３〕基準アンテナＲは、測定用アンテナ２１ｂへ向けて試験電波を送信し、測定用アンテナ２１ｂで受信する。
〔Ｓ１４〕ネットワークアナライザ１１ａは、ケーブルＣ２を通じ、信号受信端で試験信号を受信する。受信電力がＰｂ（dBm）とする。
【００４３】
〔Ｓ１５〕ネットワークアナライザ１１ａは、空間減衰量を含めたシステムの減衰量を算出する。
ここで、基準アンテナＲのアンテナゲインをＧｒ（既知）とすると、システムの減衰量Ｋｎは、以下の式（３）で算出される。
【００４４】
Ｋｎ＝Ｐｂ（dBm）−Ｐａ（dBm）−Ｇｒ・・・（３）
なお、測定用アンテナ２１ｂのアンテナゲインをＧｍ、ケーブルＣ１のケーブル損失量をｃａ、ケーブルＣ２のケーブル損失量をｃｂ、基準アンテナＲと測定用アンテナ２１ｂ間の空間減衰量をαとすると、以下の関係式（３ａ）となる。
【００４５】
Ｋｎ＝Ｐｂ（dBm）−Ｐａ（dBm）−Ｇｒ＝Ｇｍ−α−ｃａ−ｃｂ・・・（３ａ）
次に球面上の測定ポイントにおける、設置アンテナ３ａ単体のアンテナゲイン測定について説明する。図６はアンテナゲイン測定を説明するための図である。
【００４６】
アンテナと測定機器間の接続構成として、まず、基準アンテナＲから被測定機器３に設置されている設置アンテナ３ａに切り替える。この場合、設置アンテナ３ａは、被測定機器３内部の通信回路部（通信回路基板）に接続されているため、設置アンテナ３ａと通信回路部との接続を外す。
【００４７】
そして、被測定機器３の通信回路部から外された設置アンテナ３ａと、ネットワークアナライザ１１ａの信号送信端とをケーブルＣ１で接続する。また、測定用アンテナ２１ｂと、ネットワークアナライザ１１ａの信号受信端とをケーブルＣ２で接続する。なお、測定ポイントは、球面上の所定のポイントに設定されているとする。
【００４８】
〔Ｓ２１〕ネットワークアナライザ１１ａは、信号送信端からケーブルＣ１を通じて、送信電力がＰａ（dBm）の所定周波数の試験信号を出力する。
〔Ｓ２２〕設置アンテナ３ａは、測定用アンテナ２１ｂへ向けて試験電波を送信し、測定用アンテナ２１ｂで受信する。
【００４９】
〔Ｓ２３〕ネットワークアナライザ１１ａは、ケーブルＣ２を通じ、信号受信端で試験信号を受信する。受信電力がＰｂ（dBm）とする。
〔Ｓ２４〕ネットワークアナライザ１１ａは、減衰量の較正を行って、該測定ポイントにおける、設置アンテナ３ａのアンテナゲインを求める（該測定ポイントにおける設置アンテナ３ａの指向性利得を求める）。アンテナゲインをＧｘとすると、アンテナゲインＧｘは以下の式（４）となる。
【００５０】
Ｇｘ＝Ｐｂ（dBm）−Ｐａ（dBm）−Ｋｎ・・・（４）
〔Ｓ２５〕回転台２０ａおよび測定用アンテナ移動部２０ｂを調整して（端末装置１３ａから調整制御を行う）、測定ポイントを変更し、上記と同様な測定を行って、合計２６４箇所のアンテナゲインを測定する。
【００５１】
〔Ｓ２６〕２６４箇所の測定ポイントの中から基準ポイントＰｒを設定する（例えば、アンテナゲインの最大となる測定ポイントを基準ポイントＰｒとする）。
〔Ｓ２７〕基準ポイントＰｒのアンテナゲインと、他の測定ポイントＰｎのアンテナゲインとの差分値ΔＧPr-Pnを求める。
【００５２】
次に受信感度測定について説明する。図７は受信感度測定を説明するための図である。アンテナと測定機器間の接続構成として、まず、設置アンテナ３ａと被測定機器３の通信回路部との接続を元に戻す。
【００５３】
そして、ネットワークアナライザ１１ａを擬似基地局１２ａに切り替え、測定用アンテナ２１ｂと、擬似基地局１２ａの信号送信端とをケーブルＣ１で接続する。また、被測定機器３の通信回路部と接続している設置アンテナ３ａと、擬似基地局１２ａの信号受信端とをケーブルＣ２で接続する。
【００５４】
〔Ｓ３１〕回転台２０ａおよび測定用アンテナ移動部２０ｂの調整を行って、測定ポイントを基準ポイントＰｒに設定する。
〔Ｓ３２〕擬似基地局１２ａと被測定機器３間で信号送受信を行って、通信状態を確立する。
【００５５】
〔Ｓ３３〕擬似基地局１２ａは、信号送信端から測定用アンテナ２１ｂへ試験信号を送信し、測定用アンテナ２１ｂから設置アンテナ３ａへ向けて電波を放射させる。
〔Ｓ３４〕信号受信端を介して設置アンテナ３ａで受信された試験信号の受信レベルを測定する。
【００５６】
〔Ｓ３５〕擬似基地局１２ａは、被測定機器３の規定エラーレートに達するまで、受信レベルが低下するように、試験信号の送信レベルを段階的に下げてモニタする。
〔Ｓ３６〕擬似基地局１２ａは、規定エラーレートに達した時の受信レベルを認識すると、該受信レベルを基準ポイントＰｒにおける基準受信感度Ａｒとする。
【００５７】
〔Ｓ３７〕他測定ポイントＰｎの受信感度Ａｎを、上述の式（１）から算出する。例えば、測定ポイントＰ１の受信感度Ａ１は、式（１）から、Ａ１＝ΔＧPr-P1＋Ａｒで算出される。なお、ΔＧPr-P1は、上述のステップＳ２７で算出済みである。その他の測定ポイントの受信感度についても同様な計算で求められる。
【００５８】
以上説明したように、アンテナ特性測定システム１−１では、基準ポイントＰｒにおける受信感度（基準受信感度）のみを実測し、他測定ポイントに対しては、あらかじめ算出しておいた該他測定ポイントにおけるアンテナゲイン差分値で、基準受信感度を補正して算出する構成とした。これにより、受信感度の測定時間を大幅に短縮化することができ、測定効率を向上させることが可能になる。
【００５９】
次に放射電力測定について説明する。図８は放射電力測定を説明するための図である。アンテナと測定機器間の接続構成として、被測定機器３の通信回路部と接続している設置アンテナ３ａと、擬似基地局１２ａの信号送信端とをケーブルＣ１で接続する。また、測定用アンテナ２１ｂと、擬似基地局１２ａの信号受信端とをケーブルＣ２で接続する。
【００６０】
〔Ｓ４１〕回転台２０ａおよび測定用アンテナ移動部２０ｂの調整を行って、測定ポイントを基準ポイントＰｒに設定する。
〔Ｓ４２〕擬似基地局１２ａは、信号送信端から設置アンテナ３ａへ試験信号を送信し、設置アンテナ３ａから測定用アンテナ２１ｂへ向けて電波を放射させる。
【００６１】
〔Ｓ４３〕信号受信端を介して測定用アンテナ２１ｂで受信された試験信号の受信レベルを測定し、基準ポイントＰｒにおける該周波数の基準放射電力Ｂｒとする。
〔Ｓ４４〕他測定ポイントＰｎの放射電力Ｂｎを、上述の式（２）で算出する。例えば、測定ポイントＰ１の放射電力Ｂ１は、式（２）から、Ｂ１＝ΔＧPr-P1＋Ｂｒで算出される。なお、ΔＧPr-P1は、上述のステップＳ２７で算出済みである。その他の測定ポイントの放射電力についても同様な計算で求められる。
【００６２】
以上説明したように、アンテナ特性測定システム１−１では、基準ポイントＰｒにおける放射電力（基準放射電力）のみを実測し、他測定ポイントに対しては、あらかじめ算出しておいた該他測定ポイントにおけるアンテナゲイン差分値で、基準放射電力を補正して算出する構成とした。これにより、放射電力の測定時間を大幅に短縮化することができ、測定効率を向上させることが可能になる。
【００６３】
以上説明したように、アンテナ特性測定システムでは、まず、通信回路部分との接続を外した設置アンテナ３ａ単体のゲインを測定し、その後、通信回路部分との接続を元に戻して、基準ポイントにおける被測定機器３全体の基準受信感度または基準放射電力を測定する。そして、他測定ポイントにおける被測定機器３全体の受信感度または放射電力については、基準ポイントのアンテナゲインと該他測定ポイントのアンテナゲインとの差分値で、基準受信感度または基準放射電力を補正して求める構成とした。
【００６４】
これにより、基準ポイントで実測した基準アンテナ特性に対して、基準ポイントのアンテナゲインと他測定ポイントのアンテナゲインとの差でゲイン補正をすれば、該他測定ポイントのアンテナ特性を実測せずに求めることができる。したがって、無線端末機器に設置されているアンテナの球面における受信感度、放射電力の特性を、短時間で効率よく測定・評価することが可能になる。
【００６５】
また、通信回路部分との接続を外して、設置アンテナ３ａ単体のアンテナゲインを測定し、通信回路部分との接続を元に戻して、基準ポイントにおける被測定機器３全体の基準アンテナ特性（基準受信感度や基準放射電力）を測定している。
【００６６】
このような接続の切り分けを行って測定することによって、基準アンテナ特性に対して、設置アンテナ３ａ単体のアンテナゲインにもとづくゲイン補正を行うことで、被測定機器３の通信回路部分から影響を受ける設置アンテナ３ａのアンテナ特性を求めることが可能になる。
【００６７】
以上、実施の形態を例示したが、実施の形態で示した各部の構成は同様の機能を有する他のものに置換することができる。また、他の任意の構成物や工程が付加されてもよい。
（付記１）  測定ポイントを走査する測定ポイント走査部と、
被測定用アンテナのアンテナゲインを測定するアンテナゲイン測定部と、前記被測定用アンテナのアンテナ特性を測定するアンテナ特性測定部と、を含む測定制御部と、
を備え、
前記アンテナゲイン測定部は、複数の前記測定ポイント毎の前記アンテナゲインを測定し、全測定ポイントの中から基準ポイントを設定して、前記基準ポイントにおける前記アンテナゲインと、他測定ポイントにおける前記アンテナゲインとの差分であるアンテナゲイン差分値を求め、
前記アンテナ特性測定部は、前記基準ポイントにおける前記アンテナ特性である基準アンテナ特性を測定し、前記基準アンテナ特性を前記アンテナゲイン差分値で補正して、前記他測定ポイントにおける前記アンテナ特性を求める、
ことを特徴とするアンテナ特性測定システム。
【００６８】
（付記２）  前記被測定用アンテナが通信機器に設置されている場合、
前記アンテナゲイン測定部は、前記通信機器内の通信回路部との接続を外した前記被測定用アンテナに対する前記アンテナゲインを測定し、
前記アンテナ特性測定部は、前記通信機器内の前記通信回路部との接続を元に戻した前記被測定用アンテナに対する前記アンテナ特性を測定する、
ことを特徴とする付記１記載のアンテナ特性測定システム。
【００６９】
（付記３）  前記アンテナ特性測定部は、前記アンテナ特性として、前記被測定用アンテナの受信感度を測定する場合、
前記基準ポイントにおける前記受信感度である基準受信感度を測定し、前記基準受信感度を前記アンテナゲイン差分値で補正して、前記他測定ポイントにおける前記受信感度を求める、
ことを特徴とする付記１記載のアンテナ特性測定システム。
【００７０】
（付記４）  前記アンテナ特性測定部は、前記アンテナ特性として、前記被測定用アンテナの放射電力を測定する場合、
前記基準ポイントにおける前記放射電力である基準放射電力を測定し、前記基準放射電力を前記アンテナゲイン差分値で補正して、前記他測定ポイントにおける前記放射電力を求める、
ことを特徴とする付記１記載のアンテナ特性測定システム。
【００７１】
（付記５）  アンテナ特性測定方法において、
測定ポイントを走査して、被測定用アンテナのアンテナ特性を測定する場合、
複数の前記測定ポイント毎の前記被測定用アンテナのアンテナゲインを測定し、
全測定ポイントの中から基準ポイントを設定して、前記基準ポイントにおける前記アンテナゲインと、他測定ポイントにおける前記アンテナゲインとの差分であるアンテナゲイン差分値を求め、
前記基準ポイントにおける前記被測定用アンテナの前記アンテナ特性である基準アンテナ特性を測定し、
前記基準アンテナ特性を前記アンテナゲイン差分値で補正して、前記他測定ポイントにおける前記被測定用アンテナの前記アンテナ特性を求める、
ことを特徴とするアンテナ特性測定方法。
【符号の説明】
【００７２】
１  アンテナ特性測定システム
３ａ  被測定用アンテナ
１０  測定制御部
１１  アンテナゲイン測定部
１２  アンテナ特性測定部
１３  制御部
２０  測定ポイント走査部
【図１】
2012042242.tif 000003
【図２】
2012042242.tif 000004
【図３】
2012042242.tif 000005
【図４】
2012042242.tif 000006
【図５】
2012042242.tif 000007
【図６】
2012042242.tif 000008
【図７】
2012042242.tif 000009
【図８】
2012042242.tif 000010